(57)【特許請求の範囲】
【請求項１】
紙幣の入金取引を行う紙幣入金機において、
ばら紙幣入金と封筒紙幣入金を選択する入金方法選択手段と、ばら紙幣と封筒紙幣を共に受入れる入金口と、該入金口に設けられたステージと、前記ばら紙幣と封筒紙幣を共にその上に収容して一時保留する一時保留板を有する一時保留部と、前記ばら紙幣と封筒紙幣を共に収納する入金カセットとを設け、
前記ばら紙幣または封筒紙幣を返却する時は、前記一時保留板を前記入金口へ移動させて返却し、
確定されたばら紙幣と封筒紙幣を前記入金カセット内に収納する時は、前記一時保留板を前記入金カセットの収納口から退避させて収納することを特徴とする紙幣入金機。
【請求項２】
請求項１において、
前記封筒紙幣入金を選択した場合に、前記ステージを前記入金口から退避させ、前記一時保留板を前記収納口から退避させるようにし、
前記入金口に受入れる封筒紙幣を直接前記入金カセットへ投入させて収納することを特徴とする紙幣入金機。
【請求項３】
請求項１において、
前記一時保留部に返却口を設け、封筒紙幣入金を選択した場合には、前記ステージを前記入金口から退避させて入金口に受入れる封筒紙幣を直接前記一時保留板上に収容するようにし、
前記ばら紙幣または封筒紙幣を返却する時は、前記返却口を開作動させて返却することを特徴とする紙幣入金機。
【請求項４】
紙幣の入金取引を行う紙幣入金機において、
ばら紙幣入金と封筒紙幣入金を選択する入金方法選択手段と、入金部に設けらればら紙幣と封筒紙幣を共に受入れる入金口を開閉する入金シャッタと、前記入金口を有する回転可能な入金ドラムと、前記ばら紙幣をその上に収容して一時保留する一時保留板を有する一時保留部と、該一時保留部に設けられ、前記ばら紙幣を返却する返却口と、前記ばら紙幣と封筒紙幣を共に収納する入金カセットとを設け、
前記ばら紙幣を返却する時は、前記返却口を開作動させて返却し、
前記封筒紙幣を返却する時は、前記入金シャッタを開作動させて返却し、
確定されたばら紙幣を前記入金カセット内に収納する時は、前記一時保留板を前記入金カセットの収納口から退避させて収納し、
確定された封筒紙幣を収納する時は、前記一時保留板を前記入金カセットの収納口から退避させ、封筒紙幣を前記入金ドラムを回転させて前記入金カセットに直接収納することを特徴とする紙幣入金機。
【発明の詳細な説明】
【０００１】
【発明の属する技術分野】
本発明は、ばら紙幣および封筒に封入した紙幣等の両方の入金取引を行う紙幣入金機に関する。
【０００２】
【従来の技術】
従来の紙幣入金機としては、ばら紙幣を受入れこれを鑑別、計数して収納する現金自動取引装置に設けられる紙幣入金機や、袋入金や封筒入金を受入れる夜間金庫のような紙幣入金機が使用されている。
一方、海外においては、紙幣の質や大きさが多様であり、これに起因する紙幣入金機の障害が発生しやすいために、封筒に封入した紙幣や硬貨（以下、封筒紙幣という。）をそのまま投入して入金する方法が主流となっているが、ばら紙幣を入金する方法も行われており、ばら紙幣入金と封筒紙幣入金を同一の装置で取扱える紙幣入金機の開発が期待されている。
【０００３】
【発明が解決しようとする課題】
しかしながら、上述した従来の技術においては、同一の装置でばら紙幣入金と封筒紙幣入金を共に取扱う場合は、封筒入金紙幣を搬送路によって搬送すると、例え封筒に大きさを統一したとしても、封入する紙幣の枚数によっては、個々に封筒の幅が不揃いになり、特に硬貨を封入した場合には、一つの封筒紙幣で厚みが分布し不均一になるため、同一の搬送路によって封筒紙幣を搬送して収納することは、多くの困難を伴うおそれがある。
【０００４】
そこで、本発明は、ばら紙幣の入金を受入れることができ、かつ封筒紙幣における個々の幅の不揃いや、一つの封筒紙幣での厚みの不均一があっても封筒紙幣を受入れることができる紙幣入金機を実現することを目的とする。
【０００５】
【課題を解決するための手段】
本発明は、上記課題を解決するために、紙幣の入金取引を行う紙幣入金機において、ばら紙幣入金と封筒紙幣入金を選択する入金方法選択手段と、ばら紙幣と封筒紙幣を共に受入れる入金口と、該入金口に設けられたステージと、前記ばら紙幣と封筒紙幣を共にその上に収容して一時保留する一時保留板を有する一時保留部と、前記ばら紙幣と封筒紙幣を共に収納する入金カセットとを設け、前記ばら紙幣または封筒紙幣を返却する時は前記一時保留板を前記入金口へ移動させて返却し、確定されたばら紙幣と封筒紙幣を前記入金カセット内に収納する時は前記一時保留板を前記入金カセットの収納口から退避させて収納することを特徴とする。
【０００６】
【発明の実施の形態】
以下に、図面を参照して本発明による紙幣入金機の実施の形態について説明する。
第１実施の形態例
図１は本発明の第１実施の形態を示す概略側断面図である。
【０００７】
１は紙幣入金機である。
２は入金部であり、顧客が入金するばら紙幣と封筒紙幣を共に受入れる。
３は入金シャッタであり、回転作動して入金部２の入金口４を開閉する。
なお、この入金シャッタは、往復移動して入金部２の入金口４を開閉するものであってもよい。
【０００８】
５はステージであり、入金口４に投入された顧客のばら紙幣等をその上に集積する。
６は紙幣分離部であり、ステージ５上に集積されたばら紙幣を１枚毎に分離して搬送する。
７は鑑別部であり、紙幣分離部６で分離された紙幣を受入れ、紙幣の金種や真偽等の鑑別や金種毎の枚数の計数等を行う。
【０００９】
８は入金リジェクト部であり、鑑別部７によって偽券と鑑別された紙幣や、金種や真偽の判別ができない鑑別不能紙幣、旧紙幣や外国紙幣等の取扱わない紙幣、重送等の分離異常や斜行等の走行異常によって認識できなかった紙幣等のリジェクト紙幣を集積して顧客に返却する。
９は一時保留部であり、一時保留板１０が設けられており、鑑別部７で真券と鑑別され、計数されたばら紙幣や受入れた封筒紙幣を共に一時保留板１０上に収容して一時保管する。
【００１０】
１１は入金カセットであり、顧客が入金を確定したばら紙幣と封筒紙幣を共に乱積状態で収納し、その収納口１２には収納シャッタ１３が設けられており、金庫としての機能を備え、ばら紙幣と封筒紙幣を乱積状態で収納するに十分な収納スペースを有している。
２０は搬送路であり、紙幣分離部６で分離されたばら紙幣を鑑別部７へ搬送する。
【００１１】
２１は切替ブレードであり、鑑別部７で鑑別され搬送路２２によって搬送されたばら紙幣をリジェクト紙幣は搬送路２３の方向へ、入金すべきばら紙幣（以下、一時保留紙幣という。）は搬送路２４の方向へ搬送方向を切替える。
２５は搬送モータであり、搬送路２０、２２、２３、２４を駆動する。
なお、搬送路２０、２２、２３、２４は、上ベルトと下ベルトの間にばら紙幣を挟持して搬送するベルト搬送路であってもよく、搬送ローラとプレッシャローラの間にばら紙幣を挟持して搬送するローラ搬送路であってもよい。
【００１２】
また、図中に示す破線は、ばら紙幣の搬送経路を示している。
３１は制御部であり、その制御回路はマイクロコンピュータとそのプログラムを記憶するリードオンメモリおよび取引履歴や操作記録等の保守やセキュリティに関する情報を記憶する電源バックアップされたランダムアクセスメモリまたは書換え可能な不揮発性メモリ等で構成されており、紙幣入金機１の各部からの信号を受付け各部を制御すると共に、通信回線を介して上位装置との間のデータ通信を行う。
【００１３】
また、制御部３１はオンラインによって金融機関の店舗等に設置されたオンライン端末と接続しており、各紙幣入金機１の作動時の異常や取引時のカードや紙幣等の取り忘れ等の場合に警報を発して係員の注意を喚起する。
３２は電源部であり、入金シャッタ３、ステージ５、紙幣分離部６、一時保留板１０および収納シャッタ１３等の駆動用モータや切替ブレード２１の駆動用電磁弁等に電源を供給する他、制御部３１、鑑別部７および図示しない表示部等へ電源を供給する。
【００１４】
なお、図示しない表示部（以下、単に表示部という。）はＣＲＴまたはＬＣＤ等の表示画面とタッチパネルの組合せ等で構成されており、顧客の希望等を問合せる画面や顧客の処置を促す画面等を表示する一方、タッチパネルにより顧客からの入力を受付ける。
この場合に、タッチパネルを省略して別に設けたキーボードまたはテンキーや確認ボタンを有するコンソールパネル等の入力機器を接続して用いるようにしてもよい。
【００１５】
上述した構成の作用について説明する。
なお、紙幣入金機１は待機状態では、入金シャッタ３は閉状態に、ステージ５は５ａで示す入金口４を構成する位置に、一時保留板１０は１０ａで示す位置に、収納シャッタ１３は１３ａで示す入金カセット１１の収納口１２を閉鎖する位置にそれぞれ待機している。
【００１６】
顧客が紙幣入金機１によって入金取引を行う場合は、表示部には顧客のＩＤカードを図示しないＩＤカード挿入部に挿入することを促す待機画面が表示されている。
顧客がこれに従ってＩＤカードを挿入すると、これを検知した制御部３１はＩＤカード挿入部によってＩＤカードに記録されている顧客の銀行番号や支店番号、口座番号等のカード情報を読取る一方、表示部に暗証番号等のパスワードの入力を促す画面を表示する。
【００１７】
顧客がこれに従ってパスワードを入力すると、制御部３１は顧客のカード情報にパスワードを添付した電文を作成し、図示しない上位装置へその電文を送信する。
これを受信した上位装置は、カード情報とパスワードに基づいて顧客データベースを参照して顧客が正式な取引相手であることを認証し、取引許可の旨の電文を作成してこれを紙幣入金機１の制御部３１へ送信する。
【００１８】
取引許可の旨の電文を受信した制御部３１は、表示部に図２に示す入金方法選択手段としての入金方法の確認を行う選択画面を表示する。選択画面にはばら紙幣による入金のための「ばら紙幣入金」ボタン、封筒紙幣による入金のための「封筒紙幣入金」ボタンおよび取引の取消を選択する「キャンセル」ボタンが表示されている。
【００１９】
なお、入金方法選択手段としては、別に設けたコンソールパネル等に同様の内容のボタン等を設けて入金方法を選択するようにしてもよい。
顧客は希望する入金方法を選択してそのボタンを押下する。
顧客が「キャンセル」ボタンを押下した場合は、制御部３１は表示部に待機画面を表示して待機し取引を終了する。
【００２０】
顧客がばら紙幣による入金を選択した場合は、「ばら紙幣入金」ボタンを押下する。（「封筒紙幣入金」の場合は後述する。）
この信号を受取った制御部３１は、ステージ５を５ａの位置に維持し、入金シャッタ３を矢印Ａ方向に回動させて開作動させ、入金口４を開放してばら紙幣を受入れる状態で待機する。顧客は入金口４にばら紙幣を束にして挿入し、ステージ５上にセットする。
【００２１】
顧客の手が入金シャッタ３の外へ引抜かれたことを確認した制御部３１は、シャッタ３を矢印Ａとは反対方向に回動させて閉作動させ、入金口４を閉鎖し、一時保留板１０を１０ｂで示す入金カセット１１の収納口１２を塞ぐ位置に移動させて待機させると共に、ステージ５を紙幣分離部６の方向に５ｂの位置まで移動させてセットされたばら紙幣を紙幣分離部６のローラに押圧する。
【００２２】
なお、一時保留板１０の１０ａと１０ｂとの位置の間の移動は、図１では垂直方向に移動するように図示したが、紙幣入金機１の構造の都合等によって斜めに移動するようにしてもよい。
次いで、制御部３１は紙幣分離部６によってばら紙幣を一枚づつに分離し、搬送路２０によって鑑別部７へ搬送する。
【００２３】
鑑別部７は搬入されたばら紙幣を鑑別し、偽券や鑑別不能紙幣等はリジェクト紙幣として、真券はその金種毎に計数して一時保留紙幣として順に排出し、その旨の信号を制御部３１へ転送する。
制御部３１は、転送された信号に該当するばら紙幣が搬送路２２によって切替ブレード２１の付近に搬送されてくると、リジェクト紙幣の場合は搬送路２３の方向へブレード２１を切替え、搬送路２３によって入金リジェクト部８へ搬送して集積し、リジェクト紙幣を顧客に返却する。
【００２４】
一時保留紙幣の場合は搬送路２４の方向へブレード２１を切替え、搬送路２４によって一時保留部９へ搬送し、１０ｂの位置で待機している一時保留板１０上に集積して収容し一時保管する。
全てのばら紙幣の鑑別が終了すると、制御部３１は図３に示す鑑別、計数した紙幣の金種とその枚数およびこれらの合計金額を表示して入金確認を促す画面を表示部に表示する。入金確認画面には前記の他に、入金を確認するための「確認」ボタン、リジェクト紙幣等を再入金するための「追加入金」ボタンおよび入金取引を取消すための「入金取消」ボタンが表示されている。
【００２５】
顧客が「入金取消」ボタンを押下した場合には、制御部３１はステージ５を５ａの位置に移動させ、入金口４に設けられた退避口内に引込んで５ｃの位置に移動させて入金口４から退避させると共に、１０ｂの位置で待機している一時保留板１０をその上に一時保留紙幣を載せたまま１０ａの位置へ移動させ、これを回動させて１０ｃの位置に停止させる。
【００２６】
次いで、制御部３１は顧客のカードを排出すると共に、入金シャッタ３を開作動させ、入金口４に一時保留板１０によって保持されている一時保留紙幣を顧客に返却する。
顧客がカード受取り一時保留紙幣を引取ると、これを確認した制御部３１は入金シャッタ３を開作動させて入金口を閉鎖すると共にステージ等の各部を待機状態に復帰させ、表示部に待機画面を表示して入金取消処理を終了する。
【００２７】
なお、顧客がカードや一時保留紙幣の取り忘れ等によって一定時間を経過しても一時保留紙幣等の受取確認ができない場合は、制御部３１は警告音または音声誘導を発して顧客の注意を喚起する。この場合に更に所定の時間を経過しても受取確認ができない場合は、オンライン端末に通知して警報を発し係員が取り忘れ一時保留紙幣等の保管等の処置を行うようにしてもよい。
【００２８】
顧客が「追加入金」ボタンを押下した場合には、制御部３１はステージ５を５ａの位置に移動させ、再度入金シャッタ３を開作動させて顧客の追加紙幣を入金口４のステージ５上にセットさせ、上記と同様にしてセットされた追加紙幣を処理し、処理終了後に再び図３に示す入金確認画面を表示部に表示する。
顧客が入金金額を確認し「確認」ボタンを押下した場合は、制御部３１は入金カセット１１の収納口１２を閉鎖していた収納シャッタ１３を開作動させ、１３ｂの位置に移動させて収納口１２を開放すると共に、一時保留板１０を１０ｂの位置から一時保留部９に設けられた退避口内に引込んで１０ｄの位置に移動させ収納口１２から退避させる。
【００２９】
これによって、顧客が入金を確定したばら紙幣は入金カセット１１内へ自然落下し、乱積状態で堆積され収納される。
ばら紙幣の収納を確認した制御部３１は、収納シャッタ１３を閉作動させて１３ａの位置に停止させて収納口１２を閉鎖すると共に、一時保留板１０を１０ｄから１０ｂを経由して１０ａに、ステージ５を５ａの位置に移動させ、各部を待機状態に復帰させて表示部に取引の継続を問合せる図４に示す継続取引確認画面を表示する。
【００３０】
継続取引確認画面には「ばら紙幣入金」ボタン、「封筒紙幣入金」ボタンおよび取引の終了を指示する「終了」ボタンが表示されている。
「ばら紙幣入金」ボタンが押下された場合は前述と、「封筒紙幣入金」ボタンが押下された場合は後述と同様にして「終了」ボタンが押下されるまで入金取引が継続される。
【００３１】
「終了」ボタンが押下された場合は、顧客のカードを排出して顧客に返却し、顧客がカードを受取ったことを確認して各部を待機状態に復帰させ、表示部に待機画面を表示して待機する。
なお、カードを排出する際に、図示しないカード挿入部によって入金金額等を記載した取引明細票を印刷して発行するようにしてもよい。
【００３２】
また、カード排出前に入金リジェクト部８にリジェクト紙幣が残っている場合は、警告音または音声誘導を発して顧客の注意を喚起するようにしてもよい。
以上によって、ばら紙幣入金の場合の入金取引処理が終了する。
次に、顧客が封筒紙幣による入金を選択した場合は、「封筒紙幣入金」ボタンを押下する。
【００３３】
この信号を受取った制御部３１は、ステージ５を５ａから５ｂの位置に引込んで入金口４から退避させ、一時保留板１０を１０ａから１０ｃの位置に回動して停止させる。
次いで、入金シャッタ３を開作動させ、入金口４を開放して封筒紙幣を受入れる状態で待機する。顧客は入金口４に封筒紙幣を挿入して一時保留板１０上にセットする。
【００３４】
顧客の手が入金シャッタ３の外へ引抜かれたことを確認した制御部３１は、シャッタ３を閉作動させて入金口４を閉鎖し、入金部２に設けられている図示しない読取装置よって、一時保留板１０上にセットされている封筒紙幣の封筒の表面に記載された顧客の氏名や口座番号等のＩＤ番号、入金金額等の記載情報を光学的手段等で読取る。
【００３５】
この時、記載情報の不足や読取不可能文字が含まれている等の記載情報が不備の場合は、制御部３１はその旨と「取引継続」ボタンおよび「取引中止」ボタンを表示した画面を表示部に表示して入金シャッタ３を開作動させ、封筒紙幣を顧客に返却する。
顧客が入金口４から封筒紙幣を引取ったことを確認した制御部３１は、入金シャッタ３を開作動させたまま封筒紙幣の再投入を検知するまで待機する。
【００３６】
顧客は記載情報の内容を確認し、その内容を加筆または修正して一時保留板１０上に再セットし「取引継続」ボタンを押下する。
これを検知した制御部３１は、入金シャッタ３を閉作動させて入金口４を閉鎖し、再度記載情報を読取り記載情報が確認されるまで前記作動を繰返す。
「取引中止」ボタンが押下された場合は、制御部３１は顧客のカードを排出すると共に入金シャッタ３を閉作動させて入金口４を閉鎖し、顧客のカード受取りを確認して各部を待機状態に復帰させ、表示部に待機画面を表示して取引中止処理を終了する。
【００３７】
記載情報の読取りが終了しその内容が確認されると、制御部３１は一時保留板１０上に封筒紙幣を載せたまま前記とは逆方向に回動させて１０ａの位置に移動させ、更に１０ｂの位置に移動させて封筒紙幣を一時保留部９に収容して待機させる。
封筒紙幣が一時保留部９に収容されると、制御部３１は図５に示す封筒紙幣の収納を知らせる旨と、入金を確認するための「確認」ボタンおよび入金を取消すための「入金取消」ボタンを表示した封筒入金確認画面を表示部に表示する。
【００３８】
なお、この時、読取った記載情報の内容を表示するようにしてもよい。
顧客が「入金取消」ボタンを押下した場合には、制御部３１は１０ｂの位置で待機している一時保留板１０をその上に封筒紙幣を載せたまま１０ａの位置へ移動させ、これを回動させて１０ｃの位置に停止させる。
次いで、制御部３１は顧客のカードを排出すると共に、入金シャッタ３を開作動させ、入金口４に一時保留板１０によって保持されている封筒紙幣を顧客に返却する。
【００３９】
顧客がカードを受取り封筒紙幣を引取ると、これを確認した制御部３１は入金シャッタ３を開作動させて入金口を閉鎖すると共に各部を待機状態に復帰させ、表示部に待機画面を表示して入金取消処理を終了する。
なお、カードや封筒紙幣の取り忘れ等の場合は、上記ばら紙幣の場合と同様にして取り忘れ封筒紙幣等の保管等の処置を行うようにしてもよい。
【００４０】
顧客が入金金額を確認し「確認」ボタンを押下した場合は、制御部３１は入金カセット１１の収納口１２を閉鎖していた収納シャッタ１３を開作動させ、１３ｂの位置に移動させて収納口１２を開放すると共に、一時保留板１０を１０ｂの位置から１０ｄの位置に引込んで収納口１２から退避させる。
これによって、顧客が入金を確定した封筒紙幣は入金カセット１１内へ自然落下し、乱積状態で堆積され収納される。
【００４１】
封筒紙幣の収納を確認した制御部３１は、収納シャッタ１３を閉作動させて１３ａの位置に停止させて収納口１２を閉鎖すると共に、一時保留板１０を１０ｄから１０ｂを経由して１０ａに、ステージ５を５ａの位置に移動させ、各部を待機状態に復帰させて表示部に取引の継続を問合せる図４に示す継続取引確認画面を表示する。
【００４２】
その後の作動は、上記ばら紙幣入金の場合と同様であるので説明を省略する。
なお、カードを排出する際に、図示しないカード挿入部によって封筒入金を受付けた日時等を記載した受領票を印刷して発行するようにしてもよい。
以上によって、封筒紙幣入金の場合の入金取引処理が終了する。
なお、入金された封筒紙幣は、後日に入金取引の確認および照合が行われ、記載情報に記載されている入金金額と封筒に封入された金額が異なる場合には、全取引の精査終了後に顧客に封入金金額の問合せが行われる。
【００４３】
以上説明したように、本実施の形態においては、ばら紙幣入金の場合は、搬送路によって鑑別部を経由して投入されたばら紙幣を鑑別し入金カセットに収納し、封筒紙幣の場合は搬送路によらず一時保留板の移動によって封筒紙幣を入金カセットに収納するようにしたことによって、封筒紙幣の個々の幅の不揃いや一つの封筒紙幣での厚みの不均一があっても封筒紙幣の入金取引を行うことができ、ばら紙幣の入金取引と合わせて同じ装置で両方を取扱うことができる紙幣入金機を実現することができる。
【００４４】
また、ばら紙幣と封筒紙幣の両方を入金可能としたことによって、封筒紙幣による入金を主流としている海外においても設置可能な小型の紙幣入金機を供給することができると同時に、紙幣の質や大きさの多様性に対応した障害発生の少ない紙幣入金機を供給することができる。
更に、入金シャッタを開放した状態でも、一時保留板と収納シャッタによって入金カセットの内部を２重に保護することができ、犯罪行為を未然に防止してセキュリティの万全を期すことができる。
【００４５】
なお、封筒紙幣入金を選択した場合にステージ５を５ａの位置に維持して一時保留板１０を１０ｂの位置に移動させ、入金シャッタ３を開作動させてステージ５上に封筒紙幣を受入れ、入金シャッタ３を閉作動させて入金口４を閉鎖した後に、ステージ５を５ｃの位置に引込んで封筒紙幣を一時保留板１０上へ自然落下させて収容するようにしてもよい。
【００４６】
これによって、封筒紙幣の収納時間を短縮でき、業務効率を向上することができる。
また、封筒紙幣入金を選択した場合にステージ５を５ｃの位置に、一時保留板１０を１０ｄの位置に退避させ、収納シャッタ１３を１３ｂの位置へ開作動させて封筒紙幣を直接入金カセット１１へ投入する投入路を確保した後、入金シャッタ３を開作動させて封筒紙幣を直接入金カセット１１へ投入するようにしてもよい。
【００４７】
この場合には、収納シャッタ１３の直下に投入された封筒紙幣の通過を検知する通過センサを設け、通過センサが封筒紙幣の通過を検知した直後に、収納シャッタ１３を１３ａに閉作動させ、一時保留板１０を１０ｂの位置に移動させてセキュリティを確保するようにする。
更に、通過センサが封筒紙幣の先端の通過を検知した後、一定時間を経過しても後端を検知しない場合は、警報音を発して金融機関等の係員に異常を知らせるようにしてもよい。
【００４８】
これによって、封筒紙幣入金の場合の処理時間が短縮され、業務効率を向上することができる。
第２実施の形態例
図６は本発明の第２実施の形態を示す概略側断面図である。
なお、上記第１実施の形態例と同様の部分は、同一の符号を付してその説明を省略する。
【００４９】
４１は返却扉であり、図示しない電磁マグネット錠が設けられており、制御部３１の指令によって開錠および施錠され、回転作動によって一時保留部９に設けられた返却口４２を開閉する。
上記の構成の作用について説明する。
なお、紙幣入金機１は待機状態では、入金シャッタ３と返却扉４１は閉状態に、ステージ５は５ａで示す位置に、一時保留板１０は１０ｂで示す位置に、収納シャッタ１３は１３ａで示す位置にそれぞれ待機しており、第１実施の形態例で示した一時保留板１０の１０ａの位置への移動用および１０ｃの位置への回動用の駆動機構は省略されている。
【００５０】
顧客が待機画面の紙幣入金機１に従って顧客のカードを挿入し、紙幣入金機１の制御部３１が取引許可の旨の電文を受信した後、顧客がばら紙幣のセットし、ばら紙幣の鑑別が終了して入金確認画面が表示されるまでの間の作動は第１実施の形態例と同様であるのでその説明を省略する。
顧客が「入金取消」ボタンを押下した場合には、制御部３１は顧客のカードを排出すると共に図示しない電磁マグネット錠を開錠し返却扉４１を矢印Ｂ方向に回動させて開作動させ、一時保留板１０上の一時保留紙幣を顧客に返却する。
【００５１】
顧客がカードを受取り一時保留紙幣を引取ると、これを確認した制御部３１は、返却扉４１を矢印Ｂとは反対方向に回動させて電磁マグネット錠を施錠し、返却口４２を閉作動させて閉鎖すると共に各部を待機状態に復帰させ、表示部に待機画面を表示して入金取消処理を終了する。
その後の作動は、各部の待機状態が上記の位置に変更されている以外は、第１実施の形態例と同様であるのでその説明を省略する。
【００５２】
顧客が封筒紙幣による入金を選択した場合は、「封筒紙幣入金」ボタンを押下する。
この信号を受取った制御部３１は、ステージ５を５ａから５ｂの位置に引込んで退避させ、入金シャッタ３を開作動させ、入金口４を開放して封筒紙幣を受入れる状態で待機する。
【００５３】
この時、一時保留板１０は１０ｂの位置を維持して一時保留板１０までの間の投入路が確保されており、顧客は入金口４に封筒紙幣を挿入して一時保留板１０上に投入する。
顧客の手が入金シャッタ３の外へ引抜かれ、封筒紙幣が一時保留部９の一時保留板１０上に収容されたことを確認した制御部３１は、シャッタ３を閉作動させて入金口４を閉鎖し、一時保留部９に設けられている図示しない読取装置よって、一時保留板１０上にセットされている封筒紙幣の封筒の表面に記載された顧客の記載情報を光学的手段等で読取る。
【００５４】
この時、記載情報の不足や読取不可能文字が含まれている等の記載情報が不備の場合は、制御部３１はその旨と「取引継続」ボタンおよび「取引中止」ボタンを表示した画面を表示部に表示して返却扉４１を開作動させ、封筒紙幣を顧客に返却する。
顧客が返却口４２から封筒紙幣を引取ったことを確認した制御部３１は、返却扉４１を閉作動させて返却口４２を閉鎖し、入金シャッタ３を開作動させて封筒紙幣の再投入を検知するまで待機する。
【００５５】
顧客は記載情報の内容を確認し、その内容を加筆または修正して一時保留板１０上に再投入し、「取引継続」ボタンを押下する。
制御部３１は入金シャッタ３を閉作動させ、再度記載情報を読取り記載情報が確認されるまで前記動作を繰返す。
「取引中止」ボタンが押下された場合は、制御部３１は顧客のカードを排出すると共に、入金シャッタ３を閉作動させ、顧客のカード受取りを確認して表示部に待機画面を表示して待機する。
【００５６】
記載情報の読取りが終了しその内容が確認されると、制御部３１は図５に示す封筒紙幣の収納を知らせる旨と、入金を確認するための「確認」ボタンおよび入金を取消すための「入金取消」ボタンを表示した封筒入金確認画面を表示部に表示する。
顧客が「入金取消」ボタンを押下した場合には、制御部３１は顧客のカードを排出すると共に、返却扉４１を開作動させ、一時保留板１０上の封筒紙幣を顧客に返却する。
【００５７】
顧客がカードを受取り封筒紙幣を引取ると、これを確認した制御部３１は、返却扉４１を閉作動させ、返却口４２を閉鎖すると共に表示部に待機画面を表示して封筒紙幣返却処理を終了する。
その後の作動は、各部の待機状態が上記の位置に変更されている以外は、第１実施の形態例と同様であるのでその説明を省略する。
【００５８】
本実施の形態においては、第１実施の形態例の効果に加えて、封筒紙幣を直接一時保留板上に投入できるようにしたことによって、封筒紙幣の処理時間を短縮して入金取引の処理効率を向上できると共に、移動後の一時保留板を更に回動させる複雑な駆動機構を省略することができ、紙幣入金機の簡素化を図ることができる。
【００５９】
第３実施の形態例
図７は本発明の第３実施の形態を示す概略側断面図、図８はその入金部近傍を示す部分断面図である。
また、上記第１および第２実施の形態例と同様の部分は、同一の符号を付してその説明を省略する。
【００６０】
図７において、５１は入金ドラムであり、これに設けた凹部によって入金口４が形成されて入金部２に設けられており、回転作動によって入金口４の方向を変更できるよう回転可能に構成されている。
入金ドラム５１には入金口４の他に、第１実施の形態例と同様のステージ５、紙幣分離部６および搬送路２０の前段搬送部２０ａが設けられている。
【００６１】
なお、前段搬送部２０ａは入金ドラム５１が図７に示す位置にある場合には、鑑別部７の入口近傍に設けられた後段搬送部２０ｂと連携して紙幣の搬送が可能なように構成されている。この場合には必要に応じて案内板等を配置して紙幣の搬送を補助するようにしてもよい。
５２はガイド板であり、入金ドラム５１が矢印Ｃ方向に回動した時、封筒紙幣を円滑に一時保留部９の受入口に導くために、入金口４の挿入口から封筒紙幣が飛出すのを防止する。
【００６２】
上述した構成の作用について説明する。
なお、紙幣入金機１は待機状態では、入金シャッタ３と返却扉４１は閉状態に、入金ドラム５１は図７に示す位置に、ステージ５は５ａで示す位置に、一時保留板１０は１０ｂで示す位置に、収納シャッタ１３は１３ａで示す位置にそれぞれ待機しており、入金部２に入金ドラム５１が設けられている以外は第２実施の形態例と同様である。
【００６３】
顧客が待機画面の紙幣入金機１に従って顧客のカードを挿入し、紙幣入金機１の制御部３１が取引許可の旨の電文を受信した後、顧客がばら紙幣入金による取引処理を行うの作動は、入金口４が入金ドラム５１に設けられている以外は第２実施の形態例と同様であるのでその説明を省略する。
顧客が封筒紙幣による入金を選択した場合は、「封筒紙幣入金」ボタンを押下する。
【００６４】
この信号を受取った制御部３１は、入金シャッタ３を開作動させ、入金口４を開放して封筒紙幣を受入れる状態で待機する。
顧客の手が入金シャッタ３の外へ引抜かれ、封筒紙幣が入金ドラム５１に設けられたステージ５上に収容されたたことを確認した制御部３１は、シャッタ３を閉作動させて入金口４を閉鎖し、入金ドラム５１に設けられた図示しない読取装置よって、ステージ５上にセットされている封筒紙幣の封筒の表面に記載された顧客の記載情報を光学的手段等で読取る。
【００６５】
この時、記載情報の不足や読取不可能文字が含まれている等の記載情報が不備の場合は、制御部３１はその旨と「取引継続」ボタンおよび「取引中止」ボタンを表示した画面を表示部に表示して入金シャッタ３を開作動させ、封筒紙幣を顧客に返却する。
顧客が入金口４から封筒紙幣を引取ったことを確認した制御部３１は、入金シャッタ３を開作動させたまま封筒紙幣の再投入を検知するまで待機する。
【００６６】
顧客は記載情報の内容を確認し、その内容を加筆または修正してステージ５上に再セットし「取引継続」ボタンを押下する。
制御部３１は入金シャッタ３を閉作動させ、再度記載情報を読取り記載情報が確認されるまで前記動作を繰返す。
「取引中止」ボタンが押下された場合は、制御部３１は顧客のカードを排出すると共に入金シャッタ３を閉作動させ、顧客のカード受取りを確認して各部を待機状態に復帰させ、表示部に待機画面を表示して取引中止処理を終了する。
【００６７】
記載情報の読取りが終了しその内容が確認されると、制御部３１は図５に示す封筒紙幣の収納を知らせる旨と、入金を確認するための「確認」ボタンおよび入金を取消すための「入金取消」ボタンを表示した封筒入金確認画面を表示部に表示する。
顧客が「入金取消」ボタンを押下した場合には、制御部３１は顧客のカードを排出すると共に入金シャッタ３を開作動させ、ステージ５上の封筒紙幣を顧客に返却する。
【００６８】
顧客がカードを受取り封筒紙幣を引取ると、これを確認した制御部３１は、入金シャッタ３を閉作動させて入金口４を閉鎖すると共に各部を待機状態に復帰させ、表示部に待機画面を表示して入金取消処理を終了する。
顧客が入金金額を確認し「確認」ボタンを押下した場合は、制御部３１は入金カセット１１の収納口１２を閉鎖していた収納シャッタ１３を開作動させ、１３ｂの位置に移動させて収納口１２を開放すると共に、一時保留板１０を１０ｂの位置から１０ｄの位置に引込んで収納口１２から退避させる。
【００６９】
次いで、入金ドラム５１を矢印Ｃ方向に図８に示す位置まで回動させる。
これによって、顧客が入金を確定した封筒紙幣は入金カセット１１内へ自然落下し、乱積状態で堆積され収納される。
封筒紙幣の収納を確認した制御部３１は、収納シャッタ１３を閉作動させて１３ａの位置に停止させて収納口１２を閉鎖すると共に、一時保留板１０を１０ｄから１０ｂの位置に移動させ、入金ドラム５１を矢印Ｃとは反対方向に図７に示す位置まで回動させ、各部を待機状態に復帰させて表示部に取引の継続を問合せる図４に示す継続取引確認画面を表示する。
【００７０】
その後の作動は、各部の待機状態が上記の位置に変更されている以外は、第１実施の形態例と同様であるのでその説明を省略する。
本実施の形態においては、第１実施の形態例の効果に加えて、封筒紙幣の入金カセットへの挿入時に、入金ドラムによって入金シャッタの内側を塞ぐことが可能となり、更にセキュリティを向上させることができる。
【００７１】
また、封筒紙幣を入金ドラムによって直接入金カセットに収納できるようにしたことによって、封筒紙幣の処理時間を短縮して入金取引の処理効率を向上できると共に、移動後の一時保留板を更に回動させる複雑な駆動機構を省略することができ、紙幣入金機の簡素化を図ることができる。
なお、封筒紙幣受入れ時にステージ５を５ｃの位置に退避させ、第２実施の形態例と同様に一時保留板１０上に封筒紙幣を直接投入するようにしてもよい。
【００７２】
これによって、封筒紙幣入金の場合の処理時間が更に短縮され、業務効率を向上することができる。
なお、上記各実施例においては、ステージや一時保留板等の待機位置を特定して説明したが、紙幣入金機の構造の都合等によって待機位置を他の位置へ変更することも可能である。
【００７３】
また、封筒紙幣の場合に記載情報を光学的手段等によって読取るとして説明したが、以下のように行うようにしてもよい。
すなわち、紙幣入金機に印刷部を設け、ＩＤカードから読取ったカード情報の中から必要な情報、例えば銀行番号や口座番号等をバーコードや文字等によって印刷してＩＤシールとして発行し、これを封筒紙幣の表面に貼付して入金口に受入れ、紙幣入金機はこれを光学的手段等で読取るようにする。
【００７４】
この場合に、顧客に表示部等から封筒紙幣の入金金額等を入力させ、これをＩＤシールの印刷内容に含めるようにしてもよい。
または、紙幣を封入するための封筒に前記と同様の内容を印刷して発行するようにしてもよい。
これらを両方共発行する場合には、「ＩＤシール」または「封筒」を選択できるボタンを設置することが望ましい。
【００７５】
これによって、後日の入金取引の確認および照合の際に生じる無用のトラブルを未然に防止することが可能となる。
なお、封筒紙幣入金の場合に、封筒の記載情報の読取りを省略して「封筒紙幣入金」ボタン押下後に、封筒の記載情報の確認を促す画面または同内容の音声誘導によって顧客に再チェックを要請し、その後に封筒紙幣入金を行うようにしてもよい。この場合にも上記のＩＤシールや封筒を発行して入金取引を行うようにしてもよい。
【００７６】
これによって、同時に複数の封筒紙幣の入金を受付けることも可能となり、業務効率の向上を更に図ることができる。
上述は、紙幣入金機の取扱媒体を紙幣に限って説明したが、チケットやクーポン券、トラベラーズチェック、小切手、証書等の有価証券を取扱媒体とし、その収納に本発明を適用してばら収納と封筒収納を行わせるようにしてもよい。
【００７７】
【発明の効果】
以上述べたように、本発明は、ばら紙幣入金の場合は、搬送路によって鑑別部を経由して投入されたばら紙幣を鑑別し入金カセットに収納し、封筒紙幣の場合は搬送路によらず一時保留板の移動によって封筒紙幣を入金カセットに収納するようにしたことによって、封筒紙幣の個々の幅の不揃いや一つの封筒紙幣での厚みの不均一があっても封筒紙幣の入金取引を行うことができ、ばら紙幣の入金取引と合わせて同じ装置で両方を取扱うことができる紙幣入金機を実現することができるという効果が得られる。
【図面の簡単な説明】
【図１】本発明の第１実施の形態を示す概略側断面図
【図２】第１実施の形態の選択画面の表示例
【図３】第１実施の形態の入金確認画面の表示例
【図４】第１実施の形態の継続取引確認画面の表示例
【図５】第１実施の形態の封筒入金確認画面の表示例
【図６】本発明の第２実施の形態を示す概略側断面図
【図７】本発明の第３実施の形態を示す概略側断面図
【図８】第３実施の形態の入金部近傍を示す概略側断面図
【符号の説明】
１    紙幣入金機
２    入金部
３    入金シャッタ
４    入金口
５    ステージ
６    紙幣分離部
７    鑑別部
８    入金リジェクト部
９    一時保留部
１０  一時保留板
１１  入金カセット
１２  収納口
２０、２２、２３、２４  搬送路
２０ａ  前段搬送部
２０ｂ  後段搬送部
２１  切替ブレード
２５  搬送モータ
３１  制御部
３２  電源部
４１  返却扉
４２  返却口
５１  入金ドラム
５２  ガイド板
【図１】
0003998499.tif 000002
【図２】
0003998499.tif 000003
【図３】
0003998499.tif 000004
【図４】
0003998499.tif 000005
【図５】
0003998499.tif 000006
【図６】
0003998499.tif 000007
【図７】
0003998499.tif 000008
【図８】
0003998499.tif 000009